(57)【要約】  本明細書では、前部アセンブリマウント（２）と、前部マウントの両側の側方突起部（６）からそれぞれ延在する１対のアーム（５）と、を備えた眼鏡に関する説明が記載されている。各アームには、眼鏡が着用されたときに着用者の頭に対向する内側側面（５ａ）と、反対側の外側側面（５ｂ）と、が画定される。さらに、眼鏡の少なくとも一方のアーム（５）には、対応する支持要素（８）が設けられる。支持要素（８）は、対応する突起部（６）に近いアームの一部の領域において、アームの外側側面（５ｂ）に固定されてマウント（２）に連結する。また、支持要素（８）は、アームの外側側面（５ｂ）に隣接するように且つ外側側面から所定の間隔をおいて、アームの長手方向に延在する。支持要素（８）は、眼鏡が着用されたときに外側から見える、且つ直接装飾が施されるまたは装飾的な模様を支持するための表面（８ｄ）を有する。【選択図】図４
2020525857.tif 000002
【特許請求の範囲】
【請求項１】
前部アセンブリマウント（２）と、前記前部マウントの両側の側方突起部（６）からそれぞれ延在する１対のアーム（５）と、を備える眼鏡であって、
前記アームの各々には、前記眼鏡が着用されたときに着用者の頭に対向する内側側面（５ａ）と、反対側の外側側面（５ｂ）と、が画定され、
前記眼鏡のアーム（５）の少なくとも一方には、対応する支持要素（８）が設けられ、
前記支持要素（８）は、対応する前記突起部（６）に近い前記アームの一部の領域において、前記アームの外側側面（５ｂ）に固定されて前記マウント（２）に連結し、
前記支持要素（８）は、前記アームの外側側面（５ｂ）に隣接するように且つ前記外側側面から所定の間隔をおいて、前記アームの長手方向に延在し、
前記支持要素（８）は、前記眼鏡が着用されたときに外側から見える、且つ直接装飾が施されるまたは装飾的な模様を支持するための表面（８ｄ）を有することを特徴とする、
眼鏡。
【請求項２】
前記支持要素（８）は、対応する前記アーム（５）に連結するように取り付けられる、
請求項１に記載の眼鏡。
【請求項３】
前記支持要素（８）と対応する前記アーム（５）との間にヒンジ式連結手段（１０）を備え、これにより、前記支持要素は、前記要素（８）が前記アームの近傍において前記アームの外側側面（５ｂ）に隣接するように延在する閉位置と、前記要素（８）が前記アームから離れるように移動される開位置と、の間を、前記ヒンジ（１０）の軸を中心に、回転可能に移動することができる、
請求項２に記載の眼鏡。
【請求項４】
前記支持要素（８）と前記アーム（５）との間の前記ヒンジ式連結軸（１０）は、前記眼鏡の前部マウント（２）の突起部（６）と前記アーム（５）との連結軸に平行であるように向けられる、
請求項３に記載の眼鏡。
【請求項５】
前記アームの支持要素（８）のヒンジ式連結手段（１０）は、前記支持要素（８）を前記閉位置に向ける弾性戻り手段を備える、
請求項３または４に記載の眼鏡。
【請求項６】
前記ヒンジ式連結軸（１０）を中心にした前記アームに対する前記支持要素（８）の回転角度を制限するための手段をさらに備える、
請求項３〜５のいずれか１項に記載の眼鏡。
【請求項７】
前記弾性戻り手段は、連結ロッド（１２）が収容される箱形のカバー（１１）を備え、前記カバー（１１）には、前記連結ロッドと前記カバーの当接面との間で作用するばね（１３）が取り付けられ、前記箱形のカバー（１１）は、前記アーム（５）に固定接合され、前記支持要素（８）は、前記カバー（１１）の外側に突出する前記連結ロッド（１２）の一方の端部とヒンジ接続される、
請求項５に記載の眼鏡。
【請求項８】
前記連結ロッド（１２）とヒンジ接続される前記支持要素（８）の端部（８ａ）は、前記カバー（１１）の表面と協働するカム状輪郭（１５）を有し、これにより、前記支持要素（８）を前記閉位置に安定して保持することができ、前記支持要素（８）が前記閉位置から前記開位置と前記閉位置との間の中間位置に達してそれを超えたときに弾性的なスナップフィット動作を伴って前記開位置に向けて移動され、または、前記支持要素（８）が前記閉位置から開状態に向けてわずかに移動されたときに前記ばね（１３）によって弾性的に付勢されて前記開位置に向けて迅速に移動される、
請求項７に記載の眼鏡。
【請求項９】
前記支持要素の前記アームに対するヒンジ式接続の回転角度を制限するための前記手段は、前記支持要素（８）および前記アーム（５）にそれぞれ形成された小孔状構成の面の所定の円形部分（２１ａ，２１ｂ）に設けられ且つ互いに当接可能な表面（２２，２３）を備え、前記小孔状構成は、ヒンジ式軸を中心に回転可能に接続された前記ヒンジ（１０）の要素を画定する、
請求項６に記載の眼鏡。
【発明の詳細な説明】
【技術分野】
【０００１】
本発明は、主請求項１の前提部に記載の特徴を有する眼鏡に関する。
【背景技術】
【０００２】
アイウェアの分野において、眼鏡の側方アームの表面、特に眼鏡が着用されたときに外から見えるアームの外側の側面が、装飾的な模様または一般的な装飾（例えばロゴや特定の装飾的な形状）を施すために使用されることが知られている。
【発明の概要】
【発明が解決しようとする課題】
【０００３】
しかしながら、例えば従来型の眼鏡を着用する者が自身の頭をスカーフまたは顔の輪郭を囲むベールまたはヘッドスカーフで覆うことを望む場合、側方アームの一部またはその長さ方向における大部分が着用されたヘッドカバーによって覆われてしまう。その結果、アームに施された装飾を外から見ることができない。
【課題を解決するための手段】
【０００４】
本発明の主な目的は、先行技術を参照して記載した欠点を克服するように構造的および機能的に構成された眼鏡を提供することである。
【０００５】
上述した目的および以下で説明するその他の目的は、添付の特許請求の範囲に従って作製された眼鏡から構成される本発明によって達成される。
【図面の簡単な説明】
【０００６】
本発明の特徴および利点は、添付の図面を参照して非限定的に例示するいくつかの好ましい実施形態の以下の詳細な説明からより明らかになるであろう。
【図１】本発明に従って作製された眼鏡の第１の実施形態を示す斜視図である。
【図２】図１の眼鏡の特定部分を示す部分平面図である。
【図３】動作状態にある第２の実施形態における図２の特定部分を示す部分図である。
【図４】非動作状態にある図３の特定部分を示す図である。
【図５】動作状態にある図４の特定部分を詳細に示す拡大断面図である。
【図６】非動作状態にある図４の特定部分を詳細に示す拡大断面図である。
【図６Ａ】図５および図６の特定部分の構成要素を上から見た拡大側面図である。
【図７】着用された図３の眼鏡を示す斜視図である。
【図８】本発明による眼鏡の別の実施形態のための分解されたヒンジ部分を示す斜視図である。
【図９】図８のヒンジ要素の一方を示す斜視図である。
【図１０】ヒンジ要素が組み立てられている図８のヒンジを示す部分断面図である。
【発明を実施するための形態】
【０００７】
まず、図１〜図４を参照すると、本発明に従って作製された眼鏡が参照符号１によって全体として示されている。
【０００８】
眼鏡１は、ブリッジ４によって中央で互いに接続されたレンジ保持リム３を含む前部マウント２と、１対の側方アーム５と、を有するフレームを備える。アームは、ヒンジ式装置７を介して前部マウント２の側方突起部（ｌｕｇｓ）６にそれぞれ連結し、そのヒンジ軸は、参照符号Ｚによって示されている。
【０００９】
各アーム５には、眼鏡が着用されたときに着用者の頭に対向する内側側面５ａと、反対側の外側側面５ｂと、が画定される。これらの側面は、対応する突起部６に連結するよう構成されたアームの第１の端部５ｃから、アームの長手方向反対側の第２の端部５ｄまで延在する。
【００１０】
本発明によれば、眼鏡の各アーム５には、対応する支持要素８が設けられる。支持要素８は、対応する連結突起部６に対向する端部５ｃに近いアームの一部の領域において、対応するアームの外側側面５ｂに固定される。
【００１１】
支持要素８が同一の構造的性質を有することを考慮して、以下では、支持要素８の一方のみを詳細に説明する。
【００１２】
支持要素８は、アームの外側側面５ｂに固定される領域において、端部８ａを有する。支持要素８は、アーム自体に隣接するように且つ外側側面５ｂから所定の間隔をおいて、端部８ａからアームの長手方向にわたって反対側の端部８ｂまで延在する。したがって、支持要素８が端部８ａおよび８ｂ間の長手方向において主寸法を有し、長手方向寸法がアームの長手方向寸法の一部を構成することは、図からも明らかであろう。
【００１３】
図において参照符号Ｄによって示されるアームと支持要素との間の間隔の大きさは、支持要素の長手方向の範囲にわたって変化するようになされてもよく、支持要素の端部８ｂの領域において最小値となるようになされてもよい。
【００１４】
好ましくは、支持要素８は、互いに反対側の１対の表面８ｃおよび８ｄの間で画定される横方向の厚さが減少するような形状を有する。表面８ｃは、アームの外側側面５ｂに対向するように延在する。表面８ｄは、表面８ｃの反対側で延在して、眼鏡が着用されたときに外側から見える状態となる。有利には、表面８ｄは、直接装飾が施されるまたは装飾的な模様を支持するために設けられる。
【００１５】
図７を特に参照すると、眼鏡を、例えばスカーフまたはベールまたはヘッドスカーフの形態を有し且つ使用者の頭を覆うように伸びて顔の輪郭を囲むヘッドギア９と共に使用する場合、ヘッドギアの布フラップは、各アームの外側側面５ｂと外側側面５ｂに対向および対応する支持要素８の内側表面８ｃとの間に画定された空間に介在するように、側方アームの領域に配置され得る。このようにして、支持要素の外側表面８ｄは、ヘッドギアのフラップ上に存在するようになり、支持要素に施された装飾が見えるようになる。
【００１６】
さらに、アームの外側側面５ｂと支持要素８との間に設けられた減少した間隔Ｄによって、ヘッドギア９の布フラップは、各支持要素８と対応するアーム５との間で安定して配置および保持され得る。
【００１７】
支持要素の表面８ｄは、所望の形状、輪郭および曲線を有するように構成され得る。これにより、その審美的／装飾的な効果が向上する。
【００１８】
単に一例として図に示すように、支持要素の表面８ｄには、石、宝石またはラインストーンを用いて装飾が施され得る。また、支持要素の表面８ｄは、端部８ａから反対側の端部８ｄの方向に先細りになる輪郭を有する。
【００１９】
一実施形態において、支持要素８は、対応するアーム５に連結するように取り付けられる。このために、ヒンジ式連結手段１０が設けられる。これにより、支持要素は、支持要素がアームの近傍において外側側面５ｂに隣接するように延在する閉位置（図３）と、支持要素がアームから離れるように移動される開位置（図４）との間を、参照符号Ｘによって示されるヒンジの軸を中心に、回転可能に移動することができる。
【００２０】
有利には、突起部上のアームのヒンジ式軸Ｚおよびアーム上の支持要素のヒンジ式軸Ｘは、互いに平行に向けられる。
【００２１】
一実施形態において、ヒンジ１０は、例えばねじ式ピンを有するような従来型のものであってもよく、所定の度合いの「摩擦作用」、すなわち支持要素が閉位置から簡単に移動しないように（例えば誤って振られたりぶつけられたりした場合に）十分に高い摩擦力を回転中にもたらすことで特徴付けられてもよい。
【００２２】
別の実施形態において、アーム上の支持要素のヒンジ式連結手段は、支持要素８を閉状態に向ける弾性戻り手段を備える。このために、ヒンジ１０は、実質的にアームの弾性ヒンジ機構に適用される従来型の弾性ヒンジとして構成されてもよい。
【００２３】
図５および図６には、そのような機構の好ましい形態が図示されている。この形態において、（例えばアームの外側側面に溶接された）箱形のカバー１１が設けられる。カバー１１には、支持要素の端部８ａにヒンジ止めされた連結ロッド（ｔｉｅ−ｒｏｄ）１２が収容される（端部８ａには、連結ロッドの対応する端部小孔（ｅｙｅｌｅｔ）にヒンジ接続するのに適した小孔が設けられる。）。また、カバー１１には、連結ロッドの当接部１２ａとカバー１１に固定接合される当接ブロック１１ａとの間で作用するコイルばね１３が取り付けられる。連結ロッドの長手方向軸と平行に伸びる円筒形の空洞が、ブロック１１ａを貫通する。空洞には、スライド式接続部を有する連結ロッド１２が挿入される。ブロックは、カバー自体の内部で延在し連結ロッドの飛び出しを制限する機能を有するねじまたはピン１４によって、カバーに固定される。図６Ａには、連結ロッドが拡大して示されている。
【００２４】
さらに有利には、支持要素８の端部８ａは、カム状輪郭１５を有するように形成される。これにより、支持要素を閉位置および開位置に安定して配置することができ、さらに、開位置から閉状態に向けてわずかに移動されたときに（ばねによって弾性的に付勢されて）閉位置に向けて迅速に移動することができ、または、閉位置から開状態に向けてわずかに移動されたときに（ばねによって弾性的に付勢されて）開位置に向けて迅速に移動することができる。
【００２５】
ヒンジ１０の一実施形態において、上述した弾性タイプのものであるか否かにかかわらず、ヒンジの要素間には、対応するアーム５に対する支持要素８の回転角度を制限するための手段が設けられる。
【００２６】
図８〜図１０を参照すると、ヒンジ式軸Ｘを中心に互いに接続されたヒンジ１０の要素が、参照符号２０ａおよび２０ｂによって示されている。代替的に、各ヒンジ要素は、支持要素８の端部またはアーム５の側面（または弾性ヒンジの場合は連結ロッド１２の端部）のいずれかに設けられてもよい。この場合、単一の小孔を有する参照符号２０ａによって示される雄要素が設けられる。雄要素２０ａは、互いに同軸且つ離間する１対の小孔を有する雌要素２０ｂと接続される。
【００２７】
要素２０ａの小孔の円形表面部分が、参照符号２１ａによって示されている。円形表面部分２１ａは、小孔のほかの部分よりも高くした位置で延在する。好ましくは、高くした部分２１ａは、要素２０ａの小孔の軸方向に対して互いに反対側の表面に形成される。
【００２８】
したがって、円形部分２１ａの高くした表面と円形部分２１ａのほかの部分との間には、参照符号２２によって示される１対の階段状当接面が画定される。雌ヒンジ要素２０ｂの１対の小孔の互いに対向する表面の各々において、同様の高くした円形部分２１ｂが延在する。ここで、対応する階段状当接面２３が画定される。ヒンジ１０の雄要素２０ａおよび雌要素２０ｂの円形部分のそれぞれの表面２２および２３は、ヒンジの回転中に、互いに当接するように係合して、互いに接続されたヒンジ要素間の相対的な回転を制限する。円形部分２１ａおよび２１ｂの範囲は、ヒンジ要素に許容される相対的な回転角度の範囲を決定する。このように円形部分２１ａおよび２１ｂの角度範囲を有利に選択することで、開位置と閉位置との間でアームに対して支持要素８の回転角度における移動の範囲に所定の制限を設けることができる。つまり、支持要素とアームとの間の間隔Ｄの範囲を閉位置でさらに事前に決定することで、開位置と閉位置の両方における支持要素とアームとの間の相対的な位置を事前に決定することができる。
【００２９】
このようにして、本発明によって、上述した解決策に関連して記載した利点が提供され、上述した目的が達成される。
【００３０】
その１つ目の利点は、本発明による支持要素を有する眼鏡を提供して、眼鏡を、側方アームを覆うような頭を包むヘッドギアと共に使用した場合、支持要素によって、支持要素に施された装飾が現れて外から見えるようになる。
【００３１】
別の利点は、閉位置にある支持要素が、（アームと支持要素との間に挿入または収容された）布の折り目を安定して固定および保持できるため、支持要素がヘッドギアの布の保持要素として機能できることである。これにより、布に所望の形状をもたせることができ、または着用者の顔や頭に布の寸法を合わせることができる。
【００３２】
これに関連して、閉位置においてアームの外側側面に非常に近い位置に減少した間隔を有するように、支持要素を配置することができる。これにより、減少した間隔によって画定された空間は、控えめな厚さを有するベールのフラップを収容するのに十分となり、ベール自体を安定して固定することができる。
【００３３】
この場合、アームから同じ間隔の支持要素の開位置を、ユーザが必要に応じてフレームからベールのフラップを容易且つ迅速に解放する機能を含む一時的な状態として構成することができる。
【図１】
2020525857.tif 000003
【図２】
2020525857.tif 000004
【図３】
2020525857.tif 000005
【図４】
2020525857.tif 000006
【図５】
2020525857.tif 000007
【図６】
2020525857.tif 000008
【図６Ａ】
2020525857.tif 000009
【図７】
2020525857.tif 000010
【図８】
2020525857.tif 000011
【図９】
2020525857.tif 000012
【図１０】
2020525857.tif 000013
【国際調査報告】
2020525857.tif 000014
2020525857.tif 000015
2020525857.tif 000016